(57)【特許請求の範囲】
【請求項１】
帳票に記載された証明番号等を読取ると共に、帳票に貼付された顔写真を読取ることで証明書を作成するための情報を取り込む複写撮影装置において、カード状の帳票である申請書を供給する申請書供給部と、短冊状の帳票である台紙を供給する台紙供給部と、前記申請書供給部からの申請書と前記台紙供給部からの台紙を搬送する共通の搬送路を有する搬送部と、前記搬送路に沿って配置され証明番号等を読み取る番号読取部と、顔写真を読取る顔写真読取部とを備えることを特徴とする複写撮影装置。
【請求項２】
前記証明番号等及び顔写真の読取り後、前記申請書の記録情報を読み取るスキャナー部と、前記台紙を前記スキャナー部の手前で分岐し排出する台紙排出部とを備えることを特徴とする請求項１記載の複写撮影装置。
【請求項３】
前記搬送部は、前記搬送路を搬送ローラによって形成し、この搬送ローラはステッピングモータを駆動源とする動力伝達手段により駆動可能に構成したことを特徴とする請求項１または請求項２記載の複写撮影装置。
【請求項４】
証明番号等の必要事項が記録された申請書から証明番号等と貼付された顔写真から顔画像を撮影することで証明書を作成するための情報を取り込む複写撮影装置において、前記申請書を供給する申請書供給部と、この申請書供給部からの申請書を搬送する搬送路を有する搬送部と、前記搬送路に沿って配置された証明番号等を読み取る番号読取部と、顔写真を読取る顔写真読取部と、前記申請書の記録情報を読み取るスキャナー部と、前記証明番号等の読取り不良や写真剥がれの有った申請書を排出しリジェクト口へ送り次の申請書の処理を続行する申請書排出部とを備えることを特徴とする複写撮影装置。
【請求項５】
前記申請書排出部で、前記申請書をリジェクト口に送る際にリジェクト理由を前記申請書に印字又はマーキングすることを特徴とする請求項４記載の複写撮影装置。
【請求項６】
前記リジェクト口は専用トレーになっており、リジェクトされた申請書を再度搬送するために前記専用トレーを前記申請書供給部へセット可能に構成したことを特徴とする請求項５記載の複写撮影装置。
【請求項７】
前記搬送部は、前記申請書の逆転搬送が可能で証明番号等を複数回読取ることを可能に構成したことを特徴とする請求項５または請求項６記載の複写撮影装置。
【請求項８】
前記搬送中に写真が剥がれた場合、その剥がれた写真はある一定の場所に排出する写真排出部を備えることを特徴とする請求項５乃至請求項７のいずれかに記載の複写撮影装置。
【請求項９】
前記申請書に貼付した写真が申請書を搬送中に剥がれないように、前記搬送路ヘの入口において前記申請書表面に写真部分を覆う保護層を設ける保護層形成部を備えることを特徴とする請求項５乃至請求項８のいずれかに記載の複写撮影装置。
【発明の詳細な説明】
【０００１】
【産業上の利用分野】
この発明は、複写撮影装置に係り、詳しくは、証明書を作成するための情報を取り込む複写撮影装置に関する。
【０００２】
【従来の技術】
例えば、証明書として、学生証、身分証明証、クレジットカード、運転免許証、登録証明書等があり、この証明書には、顔写真等の画像情報及び氏名、住所その他の文字、記号、符号等の可視情報を記録体に撮影して作成される。
【０００３】
例えば、従来の運転免許証の作成は銀塩写真方式であるため、申請者から提出された申請書を基に、１枚ずつ免許番号の照会登録後、申請書をプリンタに挿入することで申請書上の免許証フォーマットが印刷された部分に免許番号等の必要情報が印字される。又は連続的に免許番号の照会登録を行なうことで、免許証フォーマットが印刷された撮影台紙に免許番号等の必要情報が印字されて連続台紙となって発行される。
【０００４】
免許番号等の必要情報が印字された申請又は撮影台紙の所定部分に顔写真を張り替え、１枚ずつ人手で複写カメラにセット撮影して、写真感光材料に露光している。
【０００５】
【発明が解決しようとする課題】
ところで、申請書内の撮影台紙の所定の場所、または連続台紙への顔写真の貼替だけで人手がかかる。更に、現在の複写撮影装置では、撮影台紙を１枚ずつ撮影機に人手でセットして撮影する方式のため人手がかかる。
【０００６】
電子写真システムにより所定位置への顔写真の貼替は本来なら不要になるが、自動搬送で免許番号と顔画像を読取り免許を作成する場合、連続台紙を使用する地域では、顔写真の貼られている申請書側には、免許番号が自動免番読取り機で読めるような文字フォントにより印字するようなシステムとなっていないため、自動搬送をする場合申請書から台紙への写真の貼替が必要であり、同様に人手がかかる。
【０００７】
また、電子写真システムにより写真を撮影台紙の所定位置に貼替る必要が無くなり、更に自動フィード撮影を行えるようにすることで従来の問題点を解決することが可能になるが、免許番号の自動読取りに伴うエラーや写真剥がれが発生する時に処理を停止してしまう等の問題点が発生した。
【０００８】
さらに、電子写真システムにより写真を撮影台紙の所定位置に貼替る必要が無くなり、自動フィード撮影を行えるようにすることで従来の問題点を解決することが可能になるが、申請書の自動搬送時に写真剥がれが発生する可能性があり、剥がれた写真を装置内で見つけるのは非常に手間がかかり、また、場合によっては搬送ローラ等に写真が巻込まれて破損する場合も考えられる。
【０００９】
この発明は、前記の点に鑑みてなされたもので、請求項１記載の発明は、台紙に証明番号を記録するシステムを採用している場合でも、自動的に複写撮影が可能になる複写撮影装置を提供することを目的としている。請求項２記載の発明は、登録番号から証明番号とスキャナー情報のマッチングが可能であり、また台紙を早めに排出する搬送路とすることで、搬送部の構造を簡単にする複写撮影装置を提供することを目的としている。請求項３記載の発明は、申請書及び台紙を自由な位置に停止させることができる複写撮影装置を提供することを目的としている。請求項４記載の発明は、無人での自動連続処理が途中で中断することなく次の申請書の処理に進むことが可能で、申請書供給部にセットした申請書がなくなるまで処理が続行可能で、またスキャナー部の故障時にもリジェクト口ヘ搬送可能で少なくとも証明書作成は可能である複写撮影装置を提供することを目的としている。請求項５記載の発明は、リジェクトされた申請書を次にどう処理すべきかの判断が容易にできる複写撮影装置を提供することを目的としている。請求項６記載の発明は、申請書を専用トレーに詰め替えることなく、専用トレーを申請書供給部へセットするだけで再処理が可能である複写撮影装置を提供することを目的としている。請求項７記載の発明は、証明番号を複数回読取ることで誤読を防ぐことができる複写撮影装置を提供することを目的としている。請求項８記載の発明は、剥がれた写真を装置内で容易に見つけることができ、また搬送ローラ等に写真が巻込まれて破損することを防止できる複写撮影装置を提供することを目的としている。請求項９記載の発明は、写真が剥がれ落ちるのを防ぐことができる複写撮影装置を提供することを目的としている。
【００１０】
【課題を解決するための手段】
前記課題を解決するために、請求項１記載の発明は、帳票に記載された証明番号等を読取ると共に、帳票に貼付された顔写真を読取ることで証明書を作成するための情報を取り込む複写撮影装置において、カード状の帳票である申請書を供給する申請書供給部と、短冊状の帳票である台紙を供給する台紙供給部と、前記申請書供給部からの申請書と前記台紙供給部からの台紙を搬送する共通の搬送路を有する搬送部と、前記搬送路に沿って配置され証明番号等を読み取る番号読取部と、顔写真を読取る顔写真読取部とを備えることを特徴としている。
【００１１】
請求項２記載の発明の複写撮影装置は、前記証明番号等及び顔写真の読取り後、前記申請書の記録情報を読み取るスキャナー部と、前記台紙を前記スキャナー部の手前で分岐し排出する台紙排出部とを備えることを特徴としている。
【００１２】
請求項３記載の発明の複写撮影装置は、前記搬送部が、前記搬送路を搬送ローラによって形成し、この搬送ローラはステッピングモータを駆動源とする動力伝達手段により駆動可能に構成したことを特徴としている。
【００１３】
請求項４記載の発明は、証明番号等の必要事項が記録された申請書から証明番号等と貼付された顔写真から顔画像を撮影することで証明書を作成するための情報を取り込む複写撮影装置において、前記申請書を供給する申請書供給部と、この申請書供給部からの申請書を搬送する搬送路を有する搬送部と、前記搬送路に沿って配置された証明番号等を読み取る番号読取部と、顔写真を読取る顔写真読取部と、前記申請書の記録情報を読み取るスキャナー部と、前記証明番号等の読取り不良や写真剥がれの有った申請書を排出しリジェクト口へ送り次の申請書の処理を続行する申請書排出部とを備えることを特徴としている。
【００１４】
請求項５記載の発明の複写撮影装置は、前記申請書排出部で、前記申請書をリジェクト口に送る際にリジェクト理由を前記申請書に印字又はマーキングすることを特徴としている。
【００１５】
請求項６記載の発明の複写撮影装置は、前記リジェクト口が専用トレーになっており、リジェクトされた申請書を再度搬送するために前記専用トレーを前記申請書供給部へセット可能に構成したことを特徴としている。
【００１６】
請求項７記載の発明の複写撮影装置は、前記搬送部が、前記申請書の逆転搬送が可能で証明番号等を複数回読取ることを可能に構成したことを特徴としている。
【００１７】
請求項８記載の発明の複写撮影装置は、前記搬送中に写真が剥がれた場合、その剥がれた写真はある一定の場所に排出する写真排出部を備えることを特徴としている。
【００１８】
請求項９記載の発明の複写撮影装置は、前記申請書に貼付した写真が申請書を搬送中に剥がれないように、前記搬送路ヘの入口において前記申請書表面に写真部分を覆う保護層を設ける保護層形成部を備えることを特徴としている。
【００１９】
【作用】
請求項１記載の発明では、申請書供給部からの申請書と、台紙供給部からの台紙が共通の搬送路を搬送され、台紙から証明番号を読み取り、申請書から顔写真を読取り、証明書を作れるように申請書と台紙が両方搬送することができる。従って、顔写真の貼付された申請書に証明番号が記録されておらず、台紙に証明番号を記録するシステムを採用している場合でも、登録番号を申請書に記録することで、この登録番号を頼りにして顔写真の貼替をすることなく自動的に複写撮影が可能になる。
【００２０】
請求項２記載の発明では、証明番号等及び顔写真の読取り後、申請書の記録情報をスキャナー部により読み取り、台紙はスキャナー部の手前で台紙排出部により分岐し排出する。申請書の記録情報をスキャナー部で読取る場合に、登録番号から証明番号とスキャナー情報のマッチングが可能になる。また、台紙を早めに排出する搬送路とすることで、例えば搬送ローラのローラピッチを短くすることが必要な部分を少なくすることができ、搬送ローラ本数の減少がはかれる。
【００２１】
請求項３記載の発明では、搬送部が、搬送路を搬送ローラによって形成し、この搬送ローラはステッピングモータを駆動源とする動力伝達手段により駆動可能に構成しており、申請書及び台紙を自由な位置に停止させることができる。
【００２２】
請求項４記載の発明では、証明番号等の読取り不良や写真剥がれの有った申請書を排出しリジェクト口へ送り、次の申請書の処理を続行する。このように、証明番号等読取り不可時、照会エラー時等、写真剥がれ時に、その申請書をリジェクト口ヘ搬送することにより、無人での自動連続処理が途中で中断することなく次の申請書の処理に進むことが可能で、申請書供給部にセットした申請書がなくなるまで処理が続行可能である。また、スキャナー部の故障時にもリジェクト口ヘ搬送可能で少なくとも証明書の作成は可能である。
【００２３】
請求項５記載の発明では、申請書排出部で、申請書をリジェクト口に送る際にリジェクト理由を申請書に印字又はマーキングし、リジェクト理由が申請書に記録されるため、オペレータはそのリジェクトされた申請書を次にどう処理すべきかの判断が容易にできる。
【００２４】
請求項６記載の発明では、リジェクト口は専用トレーになっており、リジェクトされた申請書を再度搬送するために、専用トレーを申請書供給部へセット可能である。このように、証明番号等読取り不可時にもう一度処理する場合や例えばスキャナー部が故障して一時的にリジェクト口に貯めた場合、リジェクト口が専用トレーになっていることにより、申請書を専用トレーに詰め替えることなく、専用トレーを申請書供給部へセットするだけで再処理が可能となる。
【００２５】
請求項７記載の発明では、搬送部が、申請書の逆転搬送が可能で証明番号等を複数回読取るから、証明番号を複数回読取ることで誤読を防ぐことができる。
【００２６】
請求項８記載の発明では、搬送中に写真が剥がれた場合、その剥がれた写真はある一定の場所に排出するため、剥がれた写真を装置内で容易に見つけることができる。また、場合によっては搬送ローラ等に写真が巻込まれて破損することを防止できる。
【００２７】
請求項９記載の発明では、申請書に貼付した写真が申請書を搬送中に剥がれないように、搬送路ヘの入口において申請書表面に写真部分を覆う保護層を設けており、この保護層により写真が剥がれ落ちるのを防ぐことができる。
【００２８】
【実施例】
以下、この発明の複写撮影装置の実施例を図面に基づいて詳細に説明する。この実施例では、証明書として運転免許証を作成する場合について説明するが、証明書としては、学生証、身分証明証、クレジットカード、登録証明書等があり、これらの証明書の作成についても同様に適用される。
【００２９】
図１は運転免許証を作成する場合のフローを説明する概略図である。運転免許証の交付を受ける申請者１は、警察署２において申請書３に所定事項を記入し、写真４を貼付して提出する。申請書３を各警察署２で受付ける時、専用スタンプで申請書３の所定位置に登録番号１２を押印して免許センター５へ送付する。
【００３０】
免許センター５において、番号登録装置６で免許番号を登録し、プリンタ７に申請書を挿入して所定位置に免許番号８を印字する。免許番号８が印字された申請書３を複写撮影装置１０にセットし、この複写撮影装置１０において免許番号と貼付された顔写真４から顔画像を撮影することで、運転免許証を作成するための情報を取り込む。
【００３１】
また、台紙９を使用する場合には、免許センター５での登録時に免許番号８と登録番号１２を入力することで、免許番号及び登録番号が印字された台紙９が連続台紙で発行される。顔写真４の貼られた申請書３及び台紙９（台紙ごとにミシン目で切り離し）を複写撮影装置１０にセットし、申請書３から顔画像と登録番号、台紙９から免許番号と登録番号を読取り、登録番号を介して免許番号で顔画像をマッチングさせる。また、台紙９を使用する場合、申請書３から顔写真４を張り替えれば、台紙９のみを複写撮影装置１０にセットし、免許番号と顔画像から運転免許証を作成するための情報を取り込むことも可能である。
【００３２】
複写撮影装置１０から読み込まれた情報を免許証プリンタ１１へ出力し、免許証プリンタ１１で運転免許証の作成を行なう。
【００３３】
免許センター５で作成された運転免許証は、警察署２へ送付され、警察署２で申請者１は運転免許証を受け取る。
【００３４】
次に、この発明の複写撮影装置の実施例について説明する。図２は複写撮影装置の構成図である。
【００３５】
複写撮影装置２０は、帳票に記載された証明番号等を読取ると共に、帳票に貼付された顔写真を読取ることで証明書を作成するための情報を取り込む。複写撮影装置２０には、上部に自動供給部３０が、その下部に番号読取部４０が、その下部に顔写真撮影部５０が、その下部に情報読取部６０が配置されている。
【００３６】
自動供給部３０には、カード状の帳票である申請書を供給する申請書供給部３１と、短冊状の帳票である台紙を供給する台紙供給部３２とが備えられている。申請書供給部３１には申請書トレー３３がセットされ、台紙供給部３２には台紙トレー３４がセットされる。申請書トレー３３からの申請書と、台紙トレー３４からの台紙を搬送する共通の搬送部７０が備えられ、この搬送部７０の搬送路７１に沿って証明番号等を読み取る番号読取部４０と、顔写真を読取る顔写真読取部５０とが配置されている。
【００３７】
番号読取部４０には、ＯＣＲリーダ４１が備えられ、ＯＣＲリーダ４１により証明番号等を読み取り、この読取情報は解読部４２で解読されてＣＰＵ５４に送られ、ＣＰＵ５４から処理部２１へ送られる。
【００３８】
顔写真読取部５０には、ＣＣＤカメラ５１が備えられ、ＣＣＤカメラ５１により顔写真を読取り、アナログ色信号を画像処理部５２へ送り、画像処理部５２で画像処理されて処理部２１へ送る。ＣＣＤカメラ５１には照明灯５３が備えられ、ＣＣＤカメラ５１はＣＰＵ５４で制御される。顔写真読取部５０には、台紙を情報読取部６０のスキャナー部６１の手前で分岐し排出する台紙排出部５５を備えており、切り替え弁５６の操作で搬送路７１を切り替え台紙をスキャナー部６１の手前で分岐し、台紙バケット５７へ排出する。
【００３９】
搬送部７０は、搬送路７１を搬送ローラ７２によって形成し、この搬送ローラ７２はステッピングモータ７３を駆動源とする動力伝達手段７４により駆動可能になっている。動力伝達手段７４は、例えばベルトで構成される。
【００４０】
情報読取部６０には、証明番号等及び顔写真の読取り後、申請書の記録情報を読み取るスキャナー部６１が備えられ、スキャナー部６１はＣＰＵ６２で制御され、読取情報はＣＰＵ６２により処理部２１へ送られる。スキャナー部６１により読取が終了した申請書は申請書バケット６３へ排出される。制御部２１では、証明番号を読取ると共に、顔写真を読取ることで証明書を作成するための情報を取り込み、免許証プリンタ２２へ出力して運転免許証を作成する。
【００４１】
従って、この複写撮影装置２０では、申請書の入った申請書トレー３３を申請書供給部３１にセットし、また台紙の入った台紙トレー３４を台紙供給部３２にセットし、このようにして申請書及び台紙をオートフィーダにセットすることができる。
【００４２】
例えば、申請書に免許番号を印字する場合は、申請書の入った申請書トレー３３を申請書供給部３１にセットし、申請書のみ搬送すれば良い。また、台紙に顔写真を張り替える場合は、台紙の入った台紙トレー３４を台紙供給部３２にセットし、台紙のみを搬送すれば良い。
【００４３】
台紙に顔写真を張り替えない場合のみ、申請書の入った申請書トレー３３を申請書供給部３１にセットし、また台紙の入った台紙トレー３４を台紙供給部３２にセットする。
【００４４】
そして、複写スタート指令により、申請書が１枚ずつフィードされ、搬送ローラ７２によって登録番号の印刷されている位置がＯＣＲリーダ４１に到達する迄搬送される。その位置で停止し、ＯＣＲリーダ４１により登録番号が読取られる。その後、顔写真位置がＣＣＤカメラ５１に到達する迄搬送され、停止して、ＣＣＤカメラ５１により顔画像が読込まる。
【００４５】
申請書トレー３３内の申請書である帳票が空になったら、台紙トレー３４から台紙が１枚ずつフィードされ、搬送ローラ７２によって免許番号の印刷されている位置がＯＣＲリーダ４１に到達する迄搬送される。その位置で台紙を停止し、ＯＣＲリーダ４１により免許番号が読取られ、再び搬送して登録番号の印刷されている位置がＯＣＲリーダ４１に到着したら停止して登録番号が読取られる。これにより、登録番号を頼りに顔画像と免許番号がマッチングでき、運転免許証作成に必要な情報を取込むことができる。この場合、申請書を各警察署２で受付ける時、専用スタンプで申請書の所定位置に押印し、免許センター５での登録時に免許番号と登録番号を入力して、台紙にプリントアウトすることが必要であり、これにより台紙を使用する場合に、申請書からの写真張替作業をなくすことができる。
【００４６】
また、この場合、申請書供給部３１と台紙供給部３２とは、オートフィーダ１箇所で構成し、申請書トレー３３と台紙トレー３４の両方が装着できるような構造も有り得る。
【００４７】
申請書は顔画像読取り後、スキャナー部６１ヘ搬送され、申請書に記載されている内容が読込まれて申請書バケット６３に収納される。台紙はスキャナー部６１の手前で分岐され、台紙バケット５７に収納される。これにより、台紙を分岐した後の搬送ローラ７２のローラピッチは広げることが可能になり、搬送ローラ７２の本数を減少することができる。
【００４８】
搬送ローラ７２の駆動はステッピングモータ７３で行なっており、これにより申請書及び台紙を自由な位置に停止させることができるため、申請書及び台紙のフォーマットの違いに対しても対応が可能になる。
【００４９】
このように、申請書供給部３１からの申請書と、台紙供給部３２からの台紙が共通の搬送路７１を搬送され、台紙から証明番号及び登録番号を読み取り、申請書から顔写真を読取り、運転免許証を作れるように申請書と台紙が両方搬送することができる。従って、顔写真の貼付された申請書に証明番号が記録されておらず、台紙に証明番号を記録するシステムを採用している場合でも、登録番号を申請書に記録することで、この登録番号を頼りにして顔写真の貼替をすることなく自動的に複写撮影が可能になる。
【００５０】
また、証明番号等及び顔写真の読取り後、申請書の記録情報をスキャナー部６１により読み取り、台紙はスキャナー部６１の手前で台紙排出部５５により分岐し排出する。申請書の記録情報をスキャナー部６１で読取る場合に、登録番号から証明番号とスキャナー情報のマッチングが可能になる。また、台紙を早めに排出する搬送路とすることで、例えば搬送ローラ７２のローラピッチを短くすることが必要な部分を少なくすることができ、搬送ローラ本数の減少がはかれる。
【００５１】
さらに、搬送部７０は、搬送路７１を搬送ローラ７２によって形成し、この搬送ローラ７２はステッピングモータ７３を駆動源とする動力伝達手段７４により駆動可能に構成しており、申請書及び台紙を自由な位置に停止させることができる。
【００５２】
次に、この発明の複写撮影装置の他の実施例について説明する。図３は複写撮影装置の構成図である。この実施例において、前記第１実施例と同一構成部分は同一の符号を付してその説明は省略する。
【００５３】
複写撮影装置２０は、申請書を供給する申請書供給部３１と、この申請書供給部３１からの申請書を搬送する搬送部７０と、この搬送部７０の搬送路７１に沿って配置された証明番号等を読み取る番号読取部４０と、顔写真を読取る顔写真読取部５０と、申請書の記録情報を読み取るスキャナー部６１と、証明番号等の読取り不良や写真剥がれの有った申請書を排出しリジェクト口へ送り次の申請書の処理を続行する申請書排出部８０とを備えている。
【００５４】
申請書排出部８０には、申請書をリジェクト口８１に送る際にリジェクト理由を申請書に印字又はマーキングする記録部８２が設けられている。リジェクト口８１は専用トレー８３になっており、切り替え弁５６及び切り替え弁８４により搬送路７１を切り替えて申請書を専用トレー８３に排出する。このリジェクトされた申請書を再度搬送するために専用トレー８３は、申請書供給部３１へセット可能になっている。搬送部７０が、ＣＰＵ５４の制御によりステッピングモータ７３の作動で申請書の逆転搬送が可能であり、証明番号等を複数回読取ることを可能になっている。
【００５５】
通常の作業時
ＣＰＵ５４により申請書の搬送部７０を制御する。専用トレー３３にセットされた申請書は、オペレータの複写スタート指令により１枚ずつフィード搬送され、ＯＣＲリーダ４１に送られる。ＯＣＲリーダ４１で読み取られた免許番号はＣＰＵ５４を経由して制御部２１に送られる。制御部２１はネットワークで接続しているホストコンピュータ２３に免許番号を送り、照会ＯＫなら顔写真読取部５０に送られ、ＣＣＤカメラ５１により顔画像を読み込む。免許番号と顔画像は制御部２１に取り込まれ、ホストコンピュータ２３からの申請者の免許情報と共に免許証プリンタ２２に送られ、運転免許証が発行される。
【００５６】
異常時
ＯＣＲリーダ４１での免許番号読取時に誤読があった場合は、ホストコンピュータ２３への照会時に照会エラーとなり、制御部２１から照会エラーがＣＰＵ５４に送られ、ＣＰＵ５４は切り替え弁５６，８４を制御して搬送路７１を切り替えて、申請書をリジェクト口８１へ搬送する。ＯＣＲリーダ４１での免許番号が読めなかった場合は、ＣＰＵ５４で読取不能を判断して、搬送路７１を切り替え申請書をリジェクト口８１に搬送する。写真が剥れていた場合は、顔画像の読み込み時に画像データから判断してエラー信号をＣＰＵ５４に送り、搬送路７１を切り替えて申請書をリジェクト口８１に搬送する。
【００５７】
従って、この複写撮影装置２０では、申請書は申請書トレー３３に入れられ、申請書供給部３１のオートフィーダにセットされる。複写スタート指令により申請書が１枚ずつフィードされ、搬送ローラ７２により免許番号の印刷位置がＯＣＲリーダ４１に到達したら搬送停止し、ＯＣＲリーダ４１により免許番号が読取られる。免許番号が読取られ、照会ＯＫであれば搬送が始まり、顔写真位置がＣＣＤカメラ５１迄到着したら停止し、ＣＣＤカメラ５１によって顔画像が読込まれる。顔画像の読込みが終了した後再び搬送が始まり、スキャナー部６１に送られ申請書の内容が読込まれながら申請書バケット６３に収納される。
【００５８】
また、この複写撮影装置２０では、申請書以外にも台紙と呼ばれる短冊状の帳票も処理可能で、申請書供給部３１のオートフィーダからＣＣＤカメラ５１迄の流れは申請書と同じであるが、台紙はスキャナー部６１には送る必要がなく、またスキャナー部６１のローラーピッチは広過ぎるため台紙の搬送ができない。そのため、スキャナー部６１の手前で分岐され、専用の台紙バケット５７に収納される。
【００５９】
ＯＣＲリーダ４１での免許番号読取りにエラーがあった場合、申請書、台紙共に搬送路７１を切替てリジェクト口８１に排出される。そのため、連続自動処理を無人で行っている場合でも免番読取りエラー発生時に処理停止することなく、次の申請書の処理が行われて行く。
【００６０】
リジェクト口８１へ搬送される時、リジェクト理由が記録部８２を構成するマーカーによって申請書又は台紙の後端部に印字またはマーキングされる。このことにより、オペレータはリジェクト理由を容易に知ることができ、次にどのような処理をすればよいかの判断が容易にできる。
【００６１】
さらに、スキャナー部６１が故障した場合でもリジェクト側へ搬送路７１を切替えることで、運転免許証発行に必要な免許番号読取り、顔画像読取りが可能である。また、リジェクト口８１は専用トレー８３が装填される形になっているためスキャナー部６１の故障修理後そのまま専用トレー８３をオートフィーダヘ差替えることで、スキャナー部６１での読取りが可能になる。
【００６２】
また、搬送部７０は逆転可能になっており、ＯＣＲリーダ４１で１回免許番号を読んだ後免許番号がＯＣＲリーダ４１の読取り範囲から外れるまで逆転し、再び正転してＯＣＲリーダ４１で免許番号をもう一度読み込むことで、免許番号の誤読を防ぐことが可能になる。逆転しなくても、ＯＣＲリーダ４１にシャッターを取り付けることでも複数回の読み取りが可能となる。
【００６３】
このように、証明番号の読取り不良や写真剥がれの有った申請書を排出し、リジェクト口８１へ送り、次の申請書の処理を続行する。このように、証明番号読取り不可時、照会エラー時、写真剥がれ時等に、その申請書をリジェクト口８１ヘ搬送することにより、無人での自動連続処理が途中で中断することなく次の申請書の処理に進むことが可能で、申請書供給部３１にセットした申請書がなくなるまで処理が続行可能である。また、スキャナー部６１の故障時にもリジェクト口８１ヘ搬送可能で少なくとも運転免許証の作成が可能である。
【００６４】
また、申請書排出部８０で、申請書をリジェクト口８１に送る際にリジェクト理由を申請書に印字又はマーキングする。このように、リジェクト理由が申請書に記録されるため、オペレータはそのリジェクトされた申請書を次にどう処理すべきかの判断が容易にできる。
【００６５】
また、リジェクト口８１は専用トレー８３になっており、リジェクトされた申請書を再度搬送するために、専用トレー８３を申請書供給部３１へセット可能である。このように、証明番号読取り不可時にもう一度処理する場合や例えばスキャナー部６１が故障して一時的にリジェクト口８１に貯めた場合、リジェクト口８１が専用トレー８３になっていることにより、申請書を専用トレー８３に詰め替えることなく、専用トレー８３を申請書供給部３１へセットするだけで再処理が可能となる。
【００６６】
また、搬送部７０が、申請書の逆転搬送が可能で証明番号を複数回読取るから、証明番号を複数回読取ることで誤読を防ぐことができる。
【００６７】
次に、この発明の複写撮影装置の他の実施例について説明する。図４は複写撮影装置の要部の側面図、図５は複写撮影装置の要部の正面図である。この実施例において、前記第１実施例と同一構成部分は同一の符号を付してその説明は省略する。複写撮影装置２０には、搬送中に申請書３の写真４が剥がれた場合、その剥がれた写真４はある一定の場所に排出する写真排出部９０を備えている。
【００６８】
この複写撮影装置２０では、顔写真の貼付された申請書３が、搬送ローラ７２で搬送され、ＯＣＲリーダ４１にて免許番号が読取られ、ＣＣＤカメラ５１で顔画像を取込んで申請書バケットに排出される。その際、搬送部７０の搬送路７１は、上から下に向かって、やや斜めに構成されている。
【００６９】
また、ガイド９１は柵状になっており、写真４が下面になるような形で申請書３が搬送される。この搬送部７０の下側には写真排出部９０の受け皿９２が取付けられており、この受け皿９２は写真集合部９３に向かって傾斜が付けられている。そのため、申請書３の搬送中に写真４が剥がれた場合、写真４は柵状のガイド９１の間から受け皿９２上へ落下する。その後、受け皿９２の傾斜によって写真４は、写真集合部９３に向かって滑り落ちてくる。これにより、剥がれた写真４はある決まった場所に集めることが可能である。
【００７０】
このように、搬送中に申請書３から写真４が剥がれた場合、その剥がれた写真４はある一定の場所に排出するため、剥がれた写真４を装置内で容易に見つけることができ、また、場合によっては搬送ローラ７２等に写真４が巻込まれて破損することを防止できる。
【００７１】
次に、この発明の複写撮影装置の他の実施例について説明する。図６は複写撮影装置の要部の側面図、図７は複写撮影装置の要部の正面図である。この実施例において、前記第１実施例と同一構成部分は同一の符号を付してその説明は省略する。
【００７２】
複写撮影装置２０は、申請書３に貼付した写真４が申請書３を搬送中に剥がれないように、搬送部７０の搬送路７１ヘの入口において申請書表面に写真部分を覆う保護層を設ける保護層形成部９５を備えている。保護層形成部９５は、申請書３が搬送ローラ７２に入る手前にラミネート装置９６を設けており、申請書３が搬送される間に、ラミネーターロール９７を加熱圧着して顔写真部より少し手前から、写真幅より若干広目のラミネート９８をかけ、ラミネート加工により写真剥がれの心配がなくなる。
【００７３】
申請書３にラミネート加工する場合、好ましくはラミネート加工に用いる樹脂としては、ＣＣＤカメラ５１で撮影するとき反射しない樹脂がよい。申請書表面に写真部分を覆う保護層を形成する場合、コーティング加工保護層の設け方としてはラミネート加工やコーティング加工がある。
【００７４】
このように、申請書３に貼付した写真４が申請書３を搬送中に剥がれないように、搬送路７１ヘの入口において申請書表面に写真部分を覆う保護層を設けることで、写真４が剥がれ落ちるのを防ぐことができる。
【００７５】
【発明の効果】
前記のように、請求項１記載の発明は、申請書供給部からの申請書と、台紙供給部からの台紙が共通の搬送路を搬送され、台紙から証明番号を読み取り、申請書から顔写真を読取り、証明書を作れるように申請書と台紙が両方搬送することができるから、顔写真の貼付された申請書に証明番号が記録されておらず、台紙に証明番号を記録するシステムを採用している場合でも、登録番号を申請書に記録することで、この登録番号を頼りにして顔写真の貼替をすることなく自動的に複写撮影が可能になる。
【００７６】
請求項２記載の発明は、証明番号及び顔写真の読取り後、申請書の記録情報をスキャナー部により読み取り、台紙はスキャナー部の手前で台紙排出部により分岐し排出するから、申請書の記録情報をスキャナー部で読取る場合に、登録番号から証明番号とスキャナー情報のマッチングが可能になる。また、台紙を早めに排出する搬送路とすることで、例えば搬送ローラのローラピッチを短くすることが必要な部分を少なくすることができ、搬送ローラ本数の減少がはかれる。
【００７７】
請求項３記載の発明は、搬送部が、搬送路を搬送ローラによって形成し、この搬送ローラはステッピングモータを駆動源とする動力伝達手段により駆動可能に構成したから、申請書及び台紙を自由な位置に停止させることができる。
【００７８】
請求項４記載の発明は、証明番号の読取り不良や写真剥がれの有った申請書を排出しリジェクト口へ送り、次の申請書の処理を続行するから、証明番号読取り不可時、照会エラー時等、写真剥がれ時に、その申請書をリジェクト口ヘ搬送することにより、無人での自動連続処理が途中で中断することなく次の申請書の処理に進むことが可能で、申請書供給部にセットした申請書がなくなるまで処理が続行可能である。また、スキャナー部の故障時にもリジェクト口ヘ搬送可能で少なくとも免許作成は可能である。
【００７９】
請求項５記載の発明は、申請書排出部で、申請書をリジェクト口に送る際にリジェクト理由を申請書に印字又はマーキングするから、リジェクト理由が申請書に記録されるため、オペレータはそのリジェクトされた申請書を次にどう処理すべきかの判断が容易にできる。
【００８０】
請求項６記載の発明は、リジェクト口は専用トレーになっており、リジェクトされた申請書を再度搬送するために、専用トレーを申請書供給部へセット可能であるから、証明番号読取り不可時にもう一度処理する場合や例えばスキャナー部が故障して一時的にリジェクト口に貯めた場合、リジェクト口が専用トレーになっていることにより、申請書を専用トレーに詰め替えることなく、専用トレーを申請書供給部へセットするだけで再処理が可能となる。
【００８１】
請求項７記載の発明は、搬送部が、申請書の逆転搬送が可能で証明番号を複数回読取るから、証明番号を複数回読取ることで誤読を防ぐことができる。
【００８２】
請求項８記載の発明は、搬送中に写真が剥がれた場合、その剥がれた写真はある一定の場所に排出するため、剥がれた写真を装置内で容易に見つけることができ、また、場合によっては搬送ローラ等に写真が巻込まれて破損することを防止できる。
【００８３】
請求項９記載の発明は、申請書に貼付した写真が申請書を搬送中に剥がれないように、搬送路ヘの入口において申請書表面に写真部分を覆う保護層を設けたから、写真が剥がれ落ちるのを防ぐことができる。
【図面の簡単な説明】
【図１】運転免許証を作成する場合のフローを説明する概略図である。
【図２】複写撮影装置の構成図である。
【図３】複写撮影装置の構成図である。
【図４】複写撮影装置の要部の側面図である。
【図５】複写撮影装置の要部の正面図である。
【図６】複写撮影装置の要部の側面図である。
【図７】複写撮影装置の要部の正面図である。
【符号の説明】
３  申請書
９  台紙
２０  複写撮影装置
３１  申請書供給部
３２  台紙供給部
４０  番号読取部
５０  顔写真読取部
７０  搬送部
７１  搬送路
【図１】
0003660700.tif 000002
【図２】
0003660700.tif 000003
【図３】
0003660700.tif 000004
【図４】
0003660700.tif 000005
【図５】
0003660700.tif 000006
【図６】
0003660700.tif 000007
【図７】
0003660700.tif 000008